(57)【要約】  ワイヤレス送信機は、複数の帯域幅モジュールを備え、各帯域幅モジュールは、予め定められている周波数帯域に基づいてデータを処理する。ワイヤレス送信機のＭＩＭＯストリームパーサは、エンコードデータを受け取って、複数のＭＩＭＯストリームを発生させる。第１のＭＩＭＯストリームに結合される第１のモジュールパーサは、第１の複数の部分ＭＩＭＯストリームを発生させる。第１の帯域幅モジュールは、第１の部分ＭＩＭＯストリームのビットをインターリーブして、第１のインターリーブデータを発生させる第１のインターリーバを備える。第２の帯域幅モジュールは、第２の部分ＭＩＭＯストリームのビットをインターリーブして、第２のインターリーブデータを生成させる第２のインターリーバを備える。第１のＩＦＦＴユニットは、第１および第２のインターリーブされたデータを組み合わせて処理し、第１の送信ＭＩＭＯストリームを発生させる。【選択図】  図６Ａ
2013545336.tif 000002
【特許請求の範囲】
【請求項１】
ワイヤレス送信機において、
送信データを受け取って、エンコードされたデータを発生させるエンコーディングコンポーネントと、
前記エンコードされたデータを受け取って、複数の複数入力複数出力（ＭＩＭＯ）ストリームを発生させるＭＩＭＯストリームパーサと、
第１のＭＩＭＯストリームに結合され、第１の複数の部分ＭＩＭＯストリームを発生させる第１のモジュールパーサと、
前記第１の複数の部分ＭＩＭＯデータストリームのうちの第１の部分ＭＩＭＯストリームに結合される第１の帯域幅モジュールと、前記第１の帯域幅モジュールは、前記第１の部分ＭＩＭＯストリームのビットをインターリーブして、第１のインターリーブされたデータを発生させる第１のインターリーバを備え、
前記第１の複数のＭＩＭＯデータストリームのうちの第２の部分ＭＩＭＯストリームに結合される第２の帯域幅モジュールと、前記第２の帯域幅モジュールは、前記第２の部分ＭＩＭＯストリームのビットをインターリーブして、第２のインターリーブされたデータを発生させる第２のインターリーバを備え、
前記第１および第２の帯域幅モジュールに結合され、前記第１および第２のインターリーブされたデータを組み合わせて処理し、第１の送信ＭＩＭＯストリームを発生させる第１の逆高速フーリエ変換（ＩＦＦＴ）ユニットとを具備するワイヤレス送信機。
【請求項２】
前記第１および第２の部分ＭＩＭＯストリームは、近接の周波数帯域上で処理される請求項１記載のワイヤレス送信機。
【請求項３】
前記第１および第２の部分ＭＩＭＯストリームは、非近接の周波数帯域上で処理される請求項１記載のワイヤレス送信機。
【請求項４】
前記第１および第２のインターリーバは、それぞれ、異なる周波数帯域を介して、前記第１および第２の部分ＭＩＭＯストリームのビットをインターリーブする請求項１記載のワイヤレス送信機。
【請求項５】
前記第１のモジュールパーサは、前記第１の帯域幅モジュールに対して、前記ＭＩＭＯストリームの偶数のビットを前記第１の部分ＭＩＭＯストリームに割り振り、前記第２の帯域幅モジュールに対して、前記ＭＩＭＯストリームの奇数のビットを前記第２の部分ＭＩＭＯストリームに割り振る請求項１記載のワイヤレス送信機。
【請求項６】
前記ＭＩＭＯストリームパーサからの第２のＭＩＭＯストリームに結合される第２のモジュールパーサをさらに具備し、前記第２のモジュールパーサは、第２の複数の部分ＭＩＭＯストリームを発生させ、前記第１および第２のモジュールパーサは、同一のビットの割振りを前記第１および第２の帯域幅モジュールに提供し、
前記第１の帯域幅モジュールは、前記第２の複数の部分ＭＩＭＯストリームのうちの第３の部分ＭＩＭＯストリームに結合され、前記第１の帯域幅モジュールは、前記第３の部分ＭＩＭＯストリームのビットをインターリーブして、第３のインターリーブされたデータを発生させる第２のインターリーバを備え、
前記第２の帯域幅モジュールは、前記第２の複数の部分ＭＩＭＯストリームのうちの第４の部分ＭＩＭＯストリームに結合され、前記第２の帯域幅モジュールは、前記第４の部分ＭＩＭＯストリームのビットをインターリーブして、第４のインターリーブされたデータを発生させる第４のインターリーバを備え、
前記第３および第４の帯域幅モジュールに結合され、前記第３および第４のインターリーブされたデータを組み合わせて処理し、第２の送信ＭＩＭＯストリームを発生させる第２のＩＦＦＴユニットをさらに具備する請求項５記載のワイヤレス送信機。
【請求項７】
前記第１および第２のＩＦＦＴユニットは、それぞれ、１６０ＭＨｚの帯域幅を提供する請求項６記載のワイヤレス送信機。
【請求項８】
前記第１および第２の帯域幅モジュール中に、それぞれ、第１および第２の空間マッパーをさらに備え、前記第１および第２の空間マッパーのそれぞれは、変調され、インターリーブされたデータを受け取って、前記第１および第２のＩＦＦＴにトーンをマッピングする請求項６記載のワイヤレス送信機。
【請求項９】
前記第１および第２の空間マッパーのそれぞれは、２３４トーンを介してマッピングを実行する請求項６記載のワイヤレス送信機。
【請求項１０】
ワイヤレス送信機において、
送信データを受け取って、前記送信データから第１および第２のデータストリームを生成させるモジュールパーサと、
前記第１のデータストリームに結合される第１の帯域幅モジュールとを具備し、
前記第１の帯域幅モジュールは、
前記第１のデータストリームを受け取って、第１のエンコードされたデータを発生させる第１のエンコーディングコンポーネントと、
前記第１のエンコードされたデータを受け取って、第１の複数のＭＩＭＯストリームを発生させる第１の複数入力複数出力（ＭＩＭＯ）ストリームパーサと、
前記第１のＭＩＭＯストリームパーサに結合され、前記第１の複数のＭＩＭＯストリームのうちの１つのビットをインターリーブする第１のインターリーバとを備え、
前記第２のデータストリームに結合される第２の帯域幅モジュールを具備し、
前記第２の帯域幅モジュールは、
前記第２のデータストリームを受け取って、第２のエンコードされたデータを発生させる第２のエンコーディングコンポーネントと、
前記第２のエンコードされたデータを受け取って、第２の複数のＭＩＭＯストリームを発生させる第２のＭＩＭＯストリームパーサと、
前記第２のＭＩＭＯストリームパーサに結合され、前記第２の複数のＭＩＭＯストリームのうちの１つのビットをインターリーブする第２のインターリーバとを備え、
前記第１および第２の帯域幅モジュールに結合され、インターリーブされたデータを送信のために処理する第１および第２の逆高速フーリエ変換（ＩＦＦＴ）ユニットを具備するワイヤレス送信機。
【請求項１１】
前記第１および第２のデータストリームは、近接の周波数帯域上で処理される請求項１０記載のワイヤレス送信機。
【請求項１２】
前記第１および第２のデータストリームは、非近接の周波数帯域上で処理される請求項１０記載のワイヤレス送信機。
【請求項１３】
前記第１および第２のインターリーバは、それぞれ、異なる周波数帯域を介して、前記第１および第２のデータストリームのビットをインターリーブする請求項１０記載のワイヤレス送信機。
【請求項１４】
前記モジュールパーサは、前記送信データの偶数のビットを前記第１のデータストリームに割り振り、前記送信データの奇数のビットを前記第２のデータストリームに割り振る請求項１０記載のワイヤレス送信機。
【請求項１５】
前記第１および第２の帯域幅モジュール中に、それぞれ、第１および第２の空間マッパーをさらに具備し、前記第１および第２の空間マッパーのそれぞれは、変調され、インターリーブされたデータを受け取って、前記第１および第２のＩＦＦＴにトーンをマッピングする請求項１０記載のワイヤレス送信機。
【請求項１６】
ワイヤレス送信機において、
第１の帯域幅モジュールと、
第２の帯域幅モジュールとを具備し、
前記第１および第２の帯域幅モジュールのそれぞれは、
エンコードされた送信データを含む複数の部分複数入力複数出力（ＭＩＭＯ）ストリームを受け取って、
前記複数の部分ＭＩＭＯストリームのビットをインターリーブして、インターリーブされたデータを発生させ、
前記インターリーブされたデータを変調し、
予め定められているトーンに基づいて、前記インターリーブされたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項１７】
前記第１および第２の帯域幅モジュールは、前記部分ＭＩＭＯストリームを近接の周波数帯域上で処理する請求項１６記載のワイヤレス送信機。
【請求項１８】
前記第１および第２の帯域幅モジュールは、前記部分ＭＩＭＯストリームを非近接の周波数帯域上で処理する請求項１６記載のワイヤレス送信機。
【請求項１９】
前記複数のエンコードされたデータストリームを受け取って、複数のＭＩＭＯストリームを発生させるＭＩＭＯストリームパーサと、
複数のモジュールパーサとをさらに具備し、
各モジュールパーサは、ＭＩＭＯストリームを受け取って、予め定められている割り振りスキームに基づいて、前記ＭＩＭＯストリームのビットを前記第１および第２の帯域幅モジュールに割り振る請求項１６記載のワイヤレス送信機。
【請求項２０】
前記予め定められている割り振りスキームは、偶数のビットを前記第１の帯域幅モジュールに割り振り、奇数のビットを前記第２の帯域幅モジュールに割り振る請求項１９記載のワイヤレス送信機。
【請求項２１】
前記空間マッピングは、前記予め定められているトーンに対して２３４トーンを使用する請求項１６記載のワイヤレス送信機。
【請求項２２】
ワイヤレス送信機において、
第１の帯域幅モジュールと、
第２の帯域幅モジュールとを具備し、
前記第１および第２の帯域幅モジュールのそれぞれは、
受け取った送信データをエンコードして、エンコードされたデータを発生させ、
前記エンコードされたデータを、第１および第２の複数入力複数出力（ＭＩＭＯ）ストリームにパースし、
前記第１および第２のＭＩＭＯストリームのそれぞれからのビットをインターリーブして、インターリーブされたビットを発生させ、
前記インターリーブされたビットを変調して、変調されたデータを発生させ、
予め定められているトーンに基づいて、前記変調されたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項２３】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接している請求項２２記載のワイヤレス送信機。
【請求項２４】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接していない請求項２２記載のワイヤレス送信機。
【請求項２５】
予め定められている周波数帯域に基づいて、前記受け取った送信データを前記第１および第２の帯域幅モジュールにパースするモジュールパーサをさらに具備する請求項２２記載のワイヤレス送信機。
【請求項２６】
前記モジュールパーサは、予め定められている割り振りスキームに基づいてパースするように構成されている請求項２２記載のワイヤレス送信機。
【請求項２７】
前記予め定められている割り振りスキームは、第１の組のビットを前記第１の帯域幅モジュールに割り振り、第２の組のビットを前記第２の帯域幅モジュールに割り振り、前記第１および第２の組のビットは等しい分散を有する請求項２６記載のワイヤレス送信機。
【請求項２８】
前記空間マッピングは、前記予め定められているトーンに対して２３４トーンを使用する請求項２２記載のワイヤレス送信機。
【発明の詳細な説明】
【発明者】
【０００１】
Ｙｏｕｈａｎ  Ｋｉｍ、Ｎｉｎｇ  Ｚｈａｎｇ、Ｃｈｉｎ−Ｈｕｎｇ  Ｃｈｅｎ
【関連出願】
【０００２】
本出願は、２０１０年９月２７日に出願され、“超高スループットワイヤレス通信に対する、コーディングおよびインターリービングのための方法および装置”と題する米国仮特許出願第６１／３８６，８２７号の優先権を主張する。
【背景技術】
【０００３】
［発明の分野］
本発明は、一般的に、通信システムに関し、さらに詳細には、ワイヤレスネットワークに関する。
【０００４】
［関連技術］
デジタルデータは、ユーザへの通信のために、アナログチャネルを介して、または、ワイヤレスに送信できる。データが通信されるチャネルは、いくつかの固有の問題を有する。ノイズおよび他の物理的事象により、送信されたデータの破損が付加的に、または、倍増的に起こる。送信および受信システムの目的は、これらの困難性にも関わらず、確実にうまく通信することである。
【０００５】
アナログチャネルを介してデジタルデータを通信するために、データは、他の技術の中でも、パルス振幅変調の形態を使用して変調される。パルス振幅変調（ＰＡＭ）において、パルス搬送波の振幅は、信号情報に基づいて変化する。信号または有用な情報は、それゆえ、搬送波のパルスの振幅で搬送される。パルス振幅変調の形態は、直角位相振幅変調（ＱＡＭ）である。ＱＡＭは、ＱＡＭが特定のチャネル内で送信できるデータ量を増加させるという点で、従来のＰＡＭに比べて改善されたものである。ＱＡＭは、例えば、１６または３２点を含むことができるコンステレーション中で複数のビットが送信される、ＰＡＭの形態である。典型的に、ＱＡＭでは、信号は、振幅の大きさおよび位相の大きさの双方において変化する。
【０００６】
アナログチャネルまたはワイヤレスチャネルを介しての典型的な通信システムは、受信機および送信機を備える。情報がチャネルを介してパスされるときのチャネルの不確実性を取り扱うために、有用な情報は、不確実なチャネルを介して情報が受信される際に、冗長ビットでエンコードされ、単一および複数のビット誤りを訂正する。送信機において、順方向誤り訂正（ＦＥＣ）のためのエンコーディングが実行される。ブロック誤りが起こる可能性を低減させるために、エンコードされた情報は、インターリーバを介してパスされ、これにより、隣接するエンコードされたビットが互いに近接して送信されることはない。シンボルは、その後、送信のために処理される前の周波数インターリービングの形態を通して、搬送波周波数を介して帯域にマッピングされる。受信のときに、逆の処理が引き受けられる。受信されたデータは、デインターリーブされ、その後、デコードされる。デコードされたデータは、誤り検出および検査、必要であれば、データの訂正のために処理される。
【０００７】
典型的に、ある帯域幅およびネットワークアーキテクチャに対して、送信データパスが、コンポーネントのすべてのハードウェアインプリメンテーションとして存在する。これらのコンポーネントは、処理されたデータを、アンテナに接続されているＲＦトランシーバにパスする前に、エンコーディング、ストリームパーシング、ＱＡＭマッピング、ＯＦＤＭ変調およびプリアンブル処理の機能を実行する。受信側では、ＲＦトランシーバに接続されているアンテナが情報を受信し、後続するコンポーネントは、プリアンブル処理、ＯＦＤＭ復調、ＱＡＭデマッピング、ビットデインターリービングおよびデコーディングを実行する。受信および送信データパスの双方は、特定のデータ幅を有し、特定の帯域幅をサポートする特定のクロックスピードで動作する。
【０００８】
インターネットの需要の増加により、ワイヤレスＬＡＮを含むネットワークのすべてのセクションは、帯域幅の爆発的な増加を経験して、より広い帯域幅で、より良好でより信頼性のある性能への仕様のアップグレードを余儀なくされる。ネットワーキングエリア、特に、ワイヤレスＬＡＮスペースにおける機器ベンダーにとって、帯域幅に対する需要の増加により駆り立てられるアーキテクチャの変更に遅れをとらずに、短縮された時間で売り出すことができ、競争力のある将来のセットを持つプロダクトを開発することが必須である。ベンダーにとって、仕様におけるありとあらゆる変更とともに、プロダクトアーキテクチャの新たな世代を回転させることはますます困難である。
【０００９】
８０２．１１標準規格の進化的進歩において、最新の標準規格は、“超高スループット”（ＶＨＴ）に対する８０２．１１ａｃと呼ばれる。ＶＨＴは、５ＧＨｚの帯域でデータを転送する。実施形態は、１６０ＭＨｚまでのＲＦ信号帯域幅、および、６．９３３Ｇｂｐｓまでのデータレートを含む。１つの実施形態では、最大帯域幅は８０ＭＨｚまたは１６０ＭＨｚであり得る。ノイズを低減させ、帯域幅をスケーリングして、データ転送レートを２倍または４倍にすることとともに、信号対ノイズ比を改善させるために、より効率的な信号処理スキームおよびデータパス設計技術が配備されている。
【００１０】
より広い帯域幅を持つ次世代ネットワークアーキテクチャをサポートすることになる場合、システム設計者にとって、いくつかのトレードオフポイントが利用可能である。システム設計者は、繰り返しの、および、繰り返さないエンジニアリングコストを管理するという制約の下、短縮された時間での売り出し、および、変化する標準規格に対するより早い適応を成し遂げる。しかしながら、より広い指定された帯域幅をサポートすることと、まだアップグレードされていない機器とともに動作することが可能な下位互換性を維持することというキーとなる対応に関して、譲歩は存在しない。システム設計者の仕事は、前の世代のために設計されたコンポーネントを使用することと、それを同じスピードで、もしくは、より速いスピードで実行すること、または、データパス全体を再設計することとの間のトレードオフを常に含む。データパス全体を再設計することは、売り出し時期への実質的なリスクを提示する。新たな設計は、機能的に立証され、それが、特に、機能、信頼性、メカニックおよび環境に対する１組の仕様にしたがうことが承認されなくてはならない。古い設計を高スピードで実行することは、その設計が、特定のターゲット技術に対する特定のクロックスピードをターゲットにしていることから、いつも実現可能とは限らない。
【００１１】
技術のアップグレードにより、いくらかのクロックスピードアップが可能である一方で、これは、帯域幅が世代から世代へと拡大するスケールの程度のものではない。さらに、設計が、デジタルコンポーネントとともに、ＲＦ無線受信機および送信機のシリコンインプリメンテーションにあるような、アナログコンポーネントを含む場合、技術の線形スケーリングは、これが純粋にデジタル設計に対するものであることから、不可能である。したがって、従来のソリューションは、システム設計者にとっての最適なソリューションを提示しない。
【発明の概要】
【００１２】
本発明のさまざまな実施形態は、ワイヤレスデバイスの設計およびインプリメンテーションにおいて固有の課題に対するソリューションを提供できる。
【００１３】
ワイヤレス送信機は、複数の帯域幅モジュールを備えることができ、各帯域幅モジュールは、予め定められている周波数帯域に基づいてデータを処理する。１つの実施形態では、このようなワイヤレス送信機は、送信データを受け取って、エンコードされたデータを発生させるエンコーディングコンポーネントを備えることができる。複数入力複数出力（ＭＩＭＯ）ストリームパーサは、エンコードされたデータを受け取って、複数のＭＩＭＯストリームを発生させることができる。第１のＭＩＭＯストリームに結合される第１のモジュールパーサは、第１の複数の部分ＭＩＭＯストリームを発生させることができる。第１の帯域幅モジュールは、第１の部分ＭＩＭＯストリームのビットをインターリーブして、第１のインターリーブされたデータを発生させる第１のインターリーバを備えることができる。第２の帯域幅モジュールは、第２の部分ＭＩＭＯストリームのビットをインターリーブして、第２のインターリーブされたデータを発生させる第２のインターリーバを備えることができる。第１の逆高速フーリエ変換（ＩＦＦＴ）ユニットは、第１および第２のインターリーブされたデータを組み合わせて処理し、第１の送信ＭＩＭＯストリームを発生させることができる。
【００１４】
第１および第２の部分ＭＩＭＯストリームは、近接または非近接の周波数帯域上で処理できる。第１および第２のインターリーバは、それぞれ、異なる周波数帯域を介して、第１および第２の部分ＭＩＭＯストリームのビットを有利にインターリーブできる。１つの実施形態では、第１のモジュールパーサは、（第１の帯域幅モジュールに対して、）ＭＩＭＯストリームの偶数のビットを第１の部分ＭＩＭＯストリームに割り振り、（第２の帯域幅モジュールに対して、）ＭＩＭＯストリームの奇数のビットを第２の部分ＭＩＭＯストリームに割り振ることができる。
【００１５】
ワイヤレス送信機はさらに、ＭＩＭＯストリームパーサからの第２のＭＩＭＯストリームに結合される第２のモジュールパーサを備えることができる。第２のモジュールパーサは、第２の複数の部分ＭＩＭＯストリームを発生させることができる。特に、第１および第２のモジュールパーサは、同一のビットの割振りを第１および第２の帯域幅モジュールに提供する。第１の帯域幅モジュールは、（第２の複数の部分ＭＩＭＯストリームからの）第３の部分ＭＩＭＯストリームのビットをインターリーブして、第３のインターリーブされたデータを発生させる第２のインターリーバを備えることができる。第２の帯域幅モジュールは、（第２の複数の部分ＭＩＭＯストリームからの）第４の部分ＭＩＭＯストリームのビットをインターリーブして、第４のインターリーブされたデータを発生させる第４のインターリーバを備えることができる。第３および第４の帯域幅モジュールに結合される第２のＩＦＦＴユニットは、第３および第４のインターリーブされたデータを組み合わせて処理し、第２の送信ＭＩＭＯストリームを発生させることができる。
【００１６】
１つの実施形態では、第１および第２のＩＦＦＴユニットはそれぞれ、１６０ＭＨｚの帯域幅を提供する。ワイヤレス送信機は、第１および第２の帯域幅モジュール中に、それぞれ、第１および第２の空間マッパーをさらに備えることができる。第１および第２の空間マッパーのそれぞれは、変調され、インターリーブされたデータを受け取って、第１および第２のＩＦＦＴにトーンをマッピングできる。１つの実施形態では、第１および第２の空間マッパーのそれぞれは、２３４トーンを介してマッピングを実行する。
【００１７】
ここに説明する別のワイヤレス送信機は、送信データを受け取って、送信データから第１および第２のデータストリームを生成させるモジュールパーサを備える。第１のデータストリームに結合される第１の帯域幅モジュールは、第１のエンコーディングコンポーネント、第１のＭＩＭＯストリームパーサおよび第１のインターリーバを備えることができる。第１のエンコーディングコンポーネントは、第１のデータストリームを受け取って、第１のエンコードされたデータを発生させることができる。第１のＭＩＭＯストリームパーサは、第１のエンコードされたデータを受け取って、第１の複数のＭＩＭＯストリームを発生させることができる。第１のインターリーバは、第１の複数のＭＩＭＯストリームのうちの１つのビットをインターリーブすることができる。第２のデータストリームに結合される第２の帯域幅モジュールは、第２のエンコーディングコンポーネント、第２のＭＩＭＯストリームパーサおよび第２のインターリーバを備えることができる。第２のエンコーディングコンポーネントは、第２のデータストリームを受け取って、第２のエンコードされたデータを発生させることができる。第２のＭＩＭＯストリームパーサは、第２のエンコードされたデータを受け取って、第２の複数のＭＩＭＯストリームを発生させることができる。第２のインターリーバは、第２の複数のＭＩＭＯストリームのうちの１つのビットをインターリーブできる。ワイヤレス送信機は、第１および第２の帯域幅モジュールに結合され、インターリーブされたデータを送信のために処理する第１および第２のＩＦＦＴユニットをさらに備えることができる。
【００１８】
第１および第２のデータストリームは、近接または非近接の周波数帯域上で処理される。いずれの実施形態では、第１および第２のインターリーバは、異なる周波数帯域を介して、第１および第２のデータストリームのビットをインターリーブする。１つの実施形態では、モジュールパーサは、送信データの偶数のビットを第１のデータストリームに割り振り、送信データの奇数のビットを第２のデータストリームに割り振ることができる。ワイヤレス送信機は、第１および第２の帯域幅モジュール中に、それぞれ、第１および第２の空間マッパーをさらに備えることができる。第１および第２の空間マッパーのそれぞれは、変調され、インターリーブされたデータを受け取って、第１および第２のＩＦＦＴにトーンをマッピングできる。
【００１９】
ここで説明する別のワイヤレス送信機は、第１および第２の帯域幅モジュールと、第１および第２のＩＦＦＴユニットとを備える。帯域幅モジュールのそれぞれは、エンコードされた送信データを含む複数の部分ＭＩＭＯストリームを受け取って、複数の部分ＭＩＭＯストリームのビットをインターリーブして、インターリーブされたデータを発生させ、インターリーブされたデータを変調し、予め定められているトーンに基づいて、インターリーブされたデータ上で空間マッピングを実行して、マッピングされたデータを発生させるように構成することができる。第１および第２の帯域幅モジュールは、部分ＭＩＭＯストリームを近接または非近接の周波数帯域上で処理できる。１つの実施形態では、空間マッピングは、予め定められているトーンに対して２３４トーンを使用する。第１および第２の帯域幅モジュールに結合される第１および第２のＩＦＦＴユニットは、マッピングされたデータを送信のために変換できる。
【００２０】
ワイヤレス送信機はさらに、ＭＩＭＯストリームパーサと複数のモジュールパーサとを備えることができる。ＭＩＭＯストリームパーサは、複数のエンコードされたデータストリームを受け取って、複数のＭＩＭＯストリームを発生させることができる。各モジュールパーサは、ＭＩＭＯストリームを受け取って、予め定められている割り振りスキームに基づいて、ＭＩＭＯストリームのビットを第１および第２の帯域幅モジュールに割り振ることができる。１つの実施形態では、予め定められている割り振りスキームは、偶数のビットを第１の帯域幅モジュールに割り振り、奇数のビットを第２の帯域幅モジュールに割り振る。
【００２１】
ここで説明する別のワイヤレス送信機は、異なる構成における、第１および第２の帯域幅モジュールと、第１および第２のＩＦＦＴユニットとを備える。特に、第１および第２の帯域幅モジュールのそれぞれは、受け取った送信データをエンコードして、エンコードされたデータを発生させ、エンコードされたデータを、第１および第２のＭＩＭＯストリームにパースし、第１および第２のＭＩＭＯストリームのそれぞれからのビットをインターリーブして、インターリーブされたビットを発生させ、インターリーブされたビットを変調して、変調されたデータを発生させ、予め定められているトーン（例えば、２３４）に基づいて、変調されたデータ上で空間マッピングを実行して、マッピングされたデータを発生させるように構成できる。ワイヤレス送信機は、第１および第２の帯域幅モジュールに結合され、マッピングされたデータを送信のために変換する第１および第２のＩＦＦＴユニットをさらに備えることができる。１つの実施形態では、第１の帯域幅モジュールは、第１の周波数帯域上で、その第１および第２のＭＩＭＯストリームを処理できるのに対して、第２の帯域幅モジュールは、第２の周波数帯域上で、その第１および第２のＭＩＭＯストリームを処理できる。第１および第２の周波数帯域は近接または非近接であり得る。
【００２２】
ワイヤレス送信機はさらに、第１および第２の周波数帯域に基づいて、受け取った送信データを第１および第２の帯域幅モジュールにパースするモジュールパーサを備えることができる。モジュールパーサは、予め定められている割り振りスキームに基づいてパースするように構成されている。１つの実施形態では、予め定められている割り振りスキームは、第１の組のビットを第１の帯域幅モジュールに割り振り、第２の組のビットを第２の帯域幅モジュールに割り振り、第１および第２の組のビットは等しい分散を有する。
【図面の簡単な説明】
【００２３】
本発明のさまざまな実施形態は、同一の参照文字が同一のエレメントを指定する添付した図面とともに、以下の詳細な説明を読むことにより、より良く理解されるだろう。  
【図１】図１は、自宅または小さな企業における典型的なワイヤレスＬＡＮベースのネットワークである。
【図２】図２は、データリンクレイヤソースからデータリンクレイヤシンクへの主な機能を示し、ワイヤレスチャネルを通り抜ける、無線周波数送信機および送信機の物理レイヤインプリメンテーションの例示的な高レベルブロックダイヤグラムである。
【図３】図３は、直角位相振幅変調（ＱＡＭ）を使用しており、デジタルおよびアナログコンポーネントの双方とともに送信物理レイヤを図示している、ＲＦ送信機の例示的なダイヤグラムである。
【図４】図４は、直角位相振幅復調器を使用しており、デジタルおよびアナログコンポーネントの双方とともに受信物理レイヤを図示している、無線周波数（ＲＦ）受信機の例示的なダイヤグラムである。
【図５】図５は、本出願の実施形態にしたがった、１６０ＭＨｚの帯域全体に対する単一ブロックにおいて起こるエンコーディングおよびインターリービングによる、完全な帯域幅送信データパスを図示している例示的なダイヤグラムである。
【図６Ａ】図６Ａは、本発明の実施形態にしたがった、２つの８０ＭＨｚの隣接および非隣接帯域に分割されるインターリービング機能によって強化された方法におけるエンコーディングおよび周波数パーシングを図示している。
【図６Ｂ】図６Ｂは、本発明の実施形態にしたがった、２つの８０ＭＨｚの隣接および非隣接帯域に分割されるインターリービング機能によって強化された方法におけるエンコーディングおよび周波数パーシングを図示している。
【図６Ｃ】図６Ｃは、本発明の実施形態にしたがった、２つの８０ＭＨｚの隣接および非隣接帯域に分割されるインターリービング機能によって強化された方法におけるエンコーディングおよび周波数パーシングを図示している。
【図７Ａ】図７Ａは、本発明の実施形態にしたがった、完全な１６０ＭＨｚの２等分のそれぞれに分割される方法において、エンコーディングおよびインターリービングを実行する修正されたデータパスを図示する例示的なダイヤグラムである。
【図７Ｂ】図７Ｂは、本発明の実施形態にしたがった、全１６０ＭＨｚの２等分のそれぞれに分割される方法において、エンコーディングおよびインターリービングを実行する修正されたデータパスを図示する例示的なダイヤグラムである。
【図面の詳細な説明】
【００２４】
これから本開示の実施形態が詳細に参照され、その例が添付した図面において図示されている。本発明は、実施形態と関連して説明される一方で、実施形態は、本発明をこれらの実施形態に限定することを意図していないことは理解されるだろう。むしろ、本発明は、代替物、修正および同等物をカバーすることを意図し、これらは、添付した特許請求の範囲によって規定される本開示の精神および範囲内に含めることができる。さらに、以下の本発明の実施形態の詳細な説明では、本発明の完全な理解を提供するために、多数の特定の詳細が述べられている。しかしながら、本発明をこれらの特定の詳細なしで実施できることは、当業者により認識されるだろう。他のインスタンスでは、良く知られている方法、手順、コンポーネントおよび回路は、本発明の実施形態の態様を不必要に曖昧にしないように、詳細には説明されていない。本発明のさまざまな実施形態を示す図面は、やや模式的なものであり、スケールされたものではなく、特に、大きさのうちのいくつかは、表示の明瞭性のためのものであり、図面中では、強調して示されている。同様に、説明の簡略化のための図面の概観は、一般的に、類似したオリエンテーションを示すが、図面のこの描写は、ほとんどの部分に対して任意である。一般的に、本発明にしたがった実施形態は、任意のオリエンテーションで動作できる。
【００２５】
後に続く詳細な説明のいくつかの部分は、コンピュータメモリ内でのデータビットに関する動作の手順、ステップ、論理ブロック、処理および他のシンボリック表示という観点から提示されている。これらの説明および表現は、データ処理技術の当業者が他の当業者にそれらの作業の内容を最も効率よく伝えるために使用する手段である。手順、コンピュータ実行ステップ、論理ブロック、処理等は、ここでは、一般的に、所望の結果をもたらすステップまたは命令の首尾一貫したシーケンスであると考えられる。ステップは、物理量の物理的な操作を要求するものである。必ずではないが、通常、これらの量は、コンピュータシステムにおいて、記憶し、転送し、組み合わせ、比較し、そうでなければ操作することができる電気信号または磁気信号の形態をとる。主に一般用法の理由で、これらの信号を、ビット、値、エレメント、シンボル、文字、用語、数またはこれらに類するものとして参照することは、時に都合が良いことが分かっている。
【００２６】
しかしながら、これらのすべておよび類似する用語は、適切な物理量と関連付けられるものであり、単に、これらの物理量に適用される便利なラベルに過ぎないことに留意すべきである。以下の説明から明らかであるように、そうでないことが明確に記載されていない限り、本開示全体を通して、“処理すること”または“アクセスすること”または“実行すること”または“記憶すること”または“レンダリングすること”または“受信すること”または“生成させること”または“変換すること”または“エンコードすること”または“パースすること”または“インターリーブすること”またはこれらに類することのような用語を利用した説明は、コンピュータシステムのレジスタおよびメモリ内での物理（電子）量として表されたデータあるいは他のコンピュータ読取可能媒体を操作して、コンピュータシステムのメモリまたはレジスタあるいは他のそのような情報記憶装置、送信デバイスまたは表示デバイス内での物理量として同様に表された他のデータへと変換する、コンピュータシステムまたは類似した電子コンピューティングデバイスの動作および処理に言及しているということを正しく認識すべきである。コンポーネントがいくつかの実施形態の中に現れるとき、同一の参照番号の使用は、コンポーネントがオリジナルの実施形態中で図示された同一のコンポーネントであることを表す。
【００２７】
限定ではなく例として、コンピュータ使用可能媒体は、コンピュータ記憶媒体と通信媒体とを含んでいてもよい。コンピュータ記憶媒体は、コンピュータ読取可能命令、データ構造、プログラムモジュールまたは他のデータのような、情報の記憶のために、任意の方法または技術において実現される、揮発性および不揮発性の媒体、取り外し可能および取り外し不可能な媒体を含む。コンピュータ記憶媒体は、これらには限定されないが、ランダムアクセスメモリ（ＲＡＭ）、リードオンリーメモリ（ＲＯＭ）、電気消去可能プログラマブルＲＯＭ（ＥＥＰＲＯＭ）、フラッシュメモリまたは他のメモリ技術、コンパクトディスクＲＯＭ（ＣＤ−ＲＯＭ）、デジタル多用途ディスク（ＤＶＤ）または他の光学記憶装置、磁気カセット、磁気テープ、磁気ディスク記憶装置または他の磁気記憶デバイス、あるいは、所望の情報を記憶するために使用できる任意の媒体を含む。
【００２８】
通信媒体は、コンピュータ読取可能命令、データ構造、プログラムモジュールまたは他のデータを、搬送波または他の転送メカニズムのような、変調されたデータ信号に組み込むことができ、任意の情報配信媒体を含む。“変調されたデータ信号”という用語は、その信号中に情報をエンコードするように、その特徴セットのうちの１つ以上が設定または変更される信号を意味する。限定ではなく例として、通信媒体は、ワイヤードネットワークまたはダイレクトワイヤード接続のようなワイヤード媒体、および、音響周波数、無線周波数（ＲＦ）、赤外線のような無線媒体、あるいは、他のワイヤレス媒体を含む。上記のうちのいずれかの組み合わせもまた、コンピュータ読取可能媒体の範囲内に含められるべきである。
【００２９】
本発明のさまざまな実施形態は、８０２．１１ａｃ標準規格により利用可能な超高スループットにより、ワイヤレス通信において固有の増加する課題へのソリューションを提供できる。本開示のさまざまな実施形態は、１６０ＭＨｚの帯域幅を、第１の８０ＭＨｚ帯域幅モジュールにより担当される上位８０ＭＨｚ部と、第２の８０ＭＨｚ帯域幅モジュールにより担当される下位８０ＭＨｚ部とに分割することにより、１６０ＭＨｚの帯域幅における８０ＭＨｚ帯域幅モジュールの再利用を提供する。副搬送波スペーシングが３１２．５ｋＨｚであることから、２０ＭＨｚ帯域幅を持つ以前の８０２．１１ａ標準規格は、６４の可能性あるトーンを提供でき、２０／４０ＭＨｚ帯域幅を持つ８０２．１１ｎ標準規格は、６４または１２８のいずれかの可能性あるトーンを提供できる。それゆえ、改善された２０／４０／８０／１６０ＭＨｚの帯域幅を持つ８０２．１１ａｃ標準規格は、６４、１２８、２５６または５１２のいずれかの可能性あるトーンを提供できる。可能性あるトーンの総数におけるこのような増加により、データストリームがより幅広くインターリーブされることが可能になる。５１２トーンにわたってインターリーブすることは、復元不可能な誤りを予防するために、データのロバストなばらつきによる向上した性能を提供する。８０２．１１ａｃ標準規格に後続するさまざまな実施形態は、限定されないが、８０ＭＨｚの帯域幅を伴うことができ、オプションとして１６０ＭＨｚ帯域幅も利用してもよい。以下に詳細に説明するように、２つの８０ＭＨｚ帯域幅モジュールをパラレルで使用して、８０２．１１ａｃ標準規格により提供される完全な１６０ＭＨｚの帯域幅をカバーできる。
【００３０】
図１は、典型的なワイヤレスＬＡＮネットワーク１００のブロックダイヤグラムを図示している。さまざまな実施形態を、例えば、自宅または企業において用いることができる。とりわけ、いくつかのユーザが局１３０により表されている。局１３０（この実施形態においけるＳＴＡ１〜ＳＴＡ５）は、基地局１２０からおよび基地局１２０へデータを送信および受信することが可能である。ワイヤレスアクセスポイント（ＡＰ）は、基地局の１つの実施形態である。基地局１２０は、ワイヤを通して、または、ワイヤレスにルータ１１５と通信する。ルータ１１５は、ネットワーク１００上にネットワーク接続情報を有し、発信元および宛先アドレスに基づいて、パケットを受信および転送する。ルータ１１５は、接続のための複数のポートと、ケーブルモデム１１０を通して、一般的には、ワイヤ１６０を通して、残りのインターネットと接続するために単一のアップリンクポートとを有する。ケーブルモデムは、サービスプロバイダの中央オフィスに位置付けられているケーブルモデムターミネーションシステム（ＣＭＴＳ）を通してワールドワイドインターネットに接続する。主として、実施形態は、局１３０と基地局１２０との間のワイヤレス通信１４０を取り扱う。新たな８０２．１１ａｃ ＶＨＴ標準規格は、無線で、ワイヤレスにおよび確実に、６．９３３Ｇｂｐｓまでの低いレートにおいてデータを転送することを提供する。
【００３１】
図２は、図１中に説明したタイプのワイヤレスＬＡＮネットワーク１０５に属する、局、アクセスポイントまたはルータ中で用いられる送信機および受信機の物理レイヤコンポーネントを図示している。一般的に、（ＯＳＩ通信モデルにしたがった）レイヤ２の機能およびカプセル化のすべてを有するパケットデータは、ソース２１０を通して物理レイヤへパスされる。セキュリティを提供するためにとともに、バランスのとれた数の１および０を有するために（バランスのとれた数は出力信号へのバイアスを最小化する）、ソース２１０からのパケットデータは、スクランブラ２２０を通ってパスされる。スクランブラ２２０の出力はコーダ２３０に供給され、コーダ２３０は、誤り検出および訂正を実行できるように情報の追加のビットをエンコードする。この時点で、レイヤ２に基づくパケットデータは一緒に保たれる。誤り検出および訂正機能は、エンコーディングが実行されているブロック中の誤りの数が低く保たれるのに有効である。順方向誤り訂正（ＦＥＣ）の使用により訂正可能ではない複数の誤りが起こる場合には、パケットはドロップされなければならない。パケットが、あるアプリケーション上のより大きなデータストリームの一部である場合に、ストリーム全体がドロップおよび再送信されなければならない。パケット誤りレートを低減させるために、パケット局所化されたデータが、時間および周波数の双方において分散され、局所化されたパケット誤りの可能性を低減させることがアーキテクチャにおいて好ましい。
【００３２】
このような分散は、周波数インターリービングおよびビットインターリービングを通して起こる。周波数インターリービングでは、データが搬送波バケットを通して運ばれる場合、レイヤ２からのパケット化データが多数のバケットを介して分散される。この分散は、データのそれぞれのパケットソースに依存しない。同様に、ビットインターリービングでは、異なるパケットからのパケットデータは、多重分離されて、複数のパケットからのビットの混合による新たなストリームを形成する。１つの実施形態では、この機能は、インターリーバブロック２４０により達成される。インターリーブされたデータは、直角位相振幅変調（ＱＡＭ）マッパー２５０を通ってパスされ、直角位相振幅変調（ＱＡＭ）マッパー２５０は、インターリーブされたストリームをシンボルの配列にマッピングする。このようなＱＡＭマッピングされたデータは、直交周波数ドメイン変調器（ＯＦＤＭ）を通ってパスし、ＱＡＭマッパーからのシンボルは、動作の特定の帯域における搬送波バケット上にマッピングされる。変調器の出力は、ＰＨＹブロック２７０に供給され、ＰＨＹブロック２７０は、プリアンブルを挿入し、とりわけ、チャネル推定および周波数訂正に対する受信に関する追加の処理を実行する。ＰＨＹブロック２７０は、（ＲＦトランシーバの一部を形成する）無線周波数（ＲＦ）送信機２８０に供給し、チャネル２９０を介して送信される。
【００３３】
受信側では、ターゲットにされているアンテナに基づいて、送信された情報は、（ＲＦトランシーバの一部を形成する）ＲＦ受信機２８５に受信され、プリアンブルは、パケットのデータから分離される。プリアンブルは、プリアンブルおよびデータがＯＦＤＭ復調器２６５にパスされる前の、ブロック２７５における追加の受信処理に対するサブジェクトである。ＯＦＤＭ復調器２６５は、ＱＡＭデマッパー２５５に供給されるシンボルのストリームへと分散された情報をバケット毎に抽出する。ＱＡＭデマッパー２５５は、シンボルを、ブロック２４５によりデインターリーブされるストリームにコンバートする。デインターリーブされたストリームは、その後、シンク２１５を通ってノードのデータリンクレイヤにパスされる前に、デコーダ２３５およびデスクランブラ２２５にパスされる。
【００３４】
これから図３も参照すると、送信機パスが、送信機デジタルパイプのいくつかのコンポーネントと、それらのサブコンポーネントに分割されているアナログコンポーネントとにより（図２のいくつかのコンポーネントは簡略化のために示されていない）、より詳細に説明されている。データリンクレイヤパケット化ソース２１０は、コーダ２３０およびインターリーバ２４０を通して、データをＱＡＭマッパー２５０に供給する。ＯＦＤＭ変調器２６０は、パイロットシンボル挿入ブロック３７５を使用して、ＱＡＭマッパー２５０により発生されたシンボルにパイロットシンボルを追加できる。結果として生じるシンボルは、逆高速フーリエ変換（ＩＦＦＴ）プロセッサ３３０に提供され、トレーニングシンボル挿入ブロック３８０およびガードシンボル挿入ブロック３８５により、（プリアンブル中への）ガードおよびトレーニングシンボル挿入が提供される（ＯＦＤＭ変調器２６０は、ＩＦＦＴブロック３３０、パイロットシンボル挿入ブロック３７５、トレーニングシンボル挿入ブロック３８０およびガード挿入ブロック３８５を備えることができる）。ＰＨＹブロック２７０は、アップサンプラーおよびフィルタからなる補間フィルタ３４０を通して、ＩＦＦＴブロック３３０出力をパスできる。補間フィルタ３３０の出力は、デジタルアナログコンバータ３５０に提供される（ＰＨＹブロック２７０は、補間フィルタ３３０およびＤＡＣ３５０を備えることができる）。ＲＦ送信機２８０は、増幅器３６５により増幅されて、アンテナ３９５を通して送信される前に、アップコンバータブロック３５５を使用して（双方ともＲＦ送信機２８０の一部を形成する）、ＤＡＣ３５０の中間周波数出力をアップコンバートできる。
【００３５】
これから図４も参照すると、受信機パスが、受信機デジタルパイプのいくつかのコンポーネントと、それらのサブコンポーネントに分割されているアナログコンポーネントとにより（図２のいくつかのコンポーネントは簡略化のために示されていない）、より詳細に説明されている。信号は、アンテナ４０５と通して受信され、ＲＦ受信機２８５に供給される。ＲＦ受信機２８５は、受信した信号を増幅する増幅器５１０と、増幅された信号を中間周波数５１５にダウンコンバートするダウンコンバータ４１５とを備える。受信処理ブロック２７５は、ダウンコンバータ４１５の出力を受け取り、アナログデジタルコンバータ（ＡＤＣ）４２０を使用して、アナログ信号をデジタル信号に変換する。ＡＤＣ４２０からのデジタル出力は、大量フィルタ同期化ブロック４２５を通して処理され、大量フィルタ同期化ブロック４２５はまた、受信処理ブロック２７５の一部を形成する。ＯＦＤＭ復調器２６５は、大量フィルタ同期化ブロック４２５の出力を受け取る。この実施形態では、ＯＦＤＭ変調器２６５は、周波数訂正ブロック４３０、周波数誤り推定器４３１、ＦＦＴ４３２、パイロット除去ブロック４３３およびチャネル推定器ブロック４３４を備えることができる。周波数訂正ブロック４３０は、大量フィルタ同期化ブロック４２５の出力とともに、周波数誤り推定器４３１から周波数誤り推定を受け取る。周波数誤り推定器４３１は、フレームのプリアンブル中の（ＦＦＴブロック４３２からの出力を部分的に使用して、パイロット除去ブロック４３３により識別された）パイロットを処理して、周波数誤り推定を実行する。周波数訂正された信号は、ＦＦＴブロック４３２に提供され、ＦＦＴブロック４３２は、その処理された信号をＱＡＭ復調器２５５に出力する。チャネル推定器４３４はまた、パイロット除去ブロック４３３から識別されたパイロットを使用して、チャネル推定を計算し、チャネル推定は、その後、ＱＡＭ復調器２５５に提供される。ＱＡＭ復調器２５５の出力は、デインターリーバ２４５およびデコーダ２３５に供給されて、処理されたデータをシンク２１５にパスし、それにより、パケットデータのデータリンクレイヤへの道を表す。
【００３６】
とりわけ、本発明の実施形態では、エンコーダ４１５、インターリーバ４２５およびそれらの受信カウンターパート、デコーダ５６５ならびにデインターリーバ５５５の機能および配置の描写において、アーキテクチャに関するトレードオフが行われる。
【００３７】
図５は、より広い帯域（例えば、８０ＭＨｚから１６０ＭＨｚ）に対して設計された次世代の送信データパスを提供するために、図３の送信データパスの上に構築する。図５中のデータのソースは、データリンクレイヤであってもよく、これは、パケット局所化されたデータを提示する。スクランブラ５１０は、このデータをスクランブルできる。スクランブルされたデータストリームは、その後、エンコーダパーサ５２０によりパースされ、複数のＦＥＣブロック５３０により順方向誤り訂正（ＦＥＣ）プロトコルを実行できるモジュラーエレメントに、パケット化されたデータを分割する。エンコーダパーサ５２０は、畳み込みコーディングのようないくつかのコーディングが望まれるときに使用されてもよい。いくつかの実施形態では、エンコーダパーサ５２０は、送信データパスの処理における他の場所で低密度パリティチェック（ＬＤＰＣ）が用いられるときに、省略されてもよい。１つの実施形態では、エンコーダパーサ５２０は、到来データストリームを、ビット単位またはブロック単位のラウンドロビン方式でパースしてもよい。
【００３８】
ＦＥＣブロック５３０は、任意の共通順方向誤り訂正コーディングにより、データのストリームをエンコードしてもよい。典型的に、このようなコーディングは、追加のデータ（いくつかのレースでは、追加のビット）を追加して、受信機が受信誤りまたは送信誤りを訂正できるようにする。１つの実施形態では、有効データリンクレイヤ全体が、全帯域幅にわたってエンコードされる。ＥＦＣブロック５３０の出力は、複数入力複数出力（ＭＩＭＯ）ストリームパーサ５４０にストリーミングされて、ＱＡＭマッピングのために、データを複数のパラレルＭＩＭＯストリームに供給する。この実施形態では、ＭＩＭＯストリームパーサ５４０は、ＦＥＣブロック５３０からのデータを２つのＭＩＭＯストリームにパースする。他の実施形態では、ＭＩＭＯストリームパーサ５４０は、ストリームを３つ以上のＭＩＭＯストリームにパースしてもよい。さらに他の実施形態では、ＭＩＭＯストリームパーサ５４０は、１つのＭＩＭＯストリームのみ（すなわち、ＱＡＭマッピングの１つのパス）が使用されるときに、バイパスされてもよい。任意の特定の実施形態におけるＭＩＭＯストリームの数は、設計事項であってもよい。ＭＩＭＯストリームパーサ５４０は、ラウンドロビンビット単位方式でビットをパースしてもよい。代替実施形態では、ＭＩＭＯストリームパーサ５４０は、ラウンドロビン方式で、あるいは、任意のランダムまたは疑似ランダム方式で、ビットのグループをパースしてもよい。
【００３９】
ＭＩＭＯストリームパーサ５４０の出力は、インターリーバブロック５５０および５５５に結合される。インターリーバブロック５５０および５５５は、任意の良く知られているインターリービング方法を使用してもよい。１つの実施形態では、インターリーバは、メモリで実現されてもよい。到来データは、メモリの行に書き込まれてもよい一方、送出データはメモリの列から読み出されてもよい。１つの実施形態では、データは、関心の帯域全体にわたってインターリーブされる。インターリーバ５５０、５５５は、それぞれ、ＱＡＭマッパー５６０および５６５に結合されてもよい。いくつかの実施形態では、ＱＡＭマッパーの出力は、意図されないビーム形成を予防することを支援できる循環シフト遅延器（ＣＳＤ）に結合されてもよい。１つの典型的な実施形態では、１つのＭＩＭＯストリームを除いて、すべてのＭＩＭＯストリームはＣＳＤブロックを含む。
【００４０】
図５では、２つのＭＩＭＯストリーム（ＱＡＭマッパー５６０からの１つおよびＣＳＤ５５８からの１つ）は、空間マッパー５７０に結合される。空間マッパー５７０は、ＱＡＭマッパー５６０からのデータおよびＣＳＤ５５８からのデータが、どのように送信ＭＩＭＯストリームに分散されるかを決定してもよい。この実施形態では、空間マッパー５７０は、ＩＦＦＴ５８０および５８５に結合される２つの送信ＭＩＭＯストリームにデータをマッピングする。ＩＦＦＴ５８０および５８５の出力は、それぞれ、ＤＡＣ５９０および５９５に結合される。送信が、２つの非近接の８０ＭＨｚの帯域を介して起こるとき（例えば、隣接していない送信）、空間マッパー５７０の出力は、送信ＭＩＭＯストリームの数を増加させてもよいことに留意すべきである。例えば、図５中に示されている２つの送信ＭＩＭＯストリームは、さらに４つの送信ＭＩＭＯストリームに分けられてもよく、それぞれの送信ＭＩＭＯストリームは、別個のＩＦＦＴおよびＤＡＣを有する。
【００４１】
図５中で構成されているように、動作の例示的な１６０ＭＨｚ帯域全体に対して単一のフローデータパスが使用される。この例では、インプリメンテーションは、４６８トーン（すなわち、周波数ビン）を使用して、１６０ＭＨｚをカバーしてもよい（例えば、５１２トーンから４４トーンを除いたものがパイロット、ＤＣおよびガードトーンに相当する）。それゆえ、インターリーバ５５０および５５５は、４６８トーンをインターリーブするように動作し、ＩＦＦＦは、１６０ＭＨｚを介して広がる５１２トーン上で同じように動作してもよい。したがって、図５中に示されているように、２つのストリームは、それぞれ、５１２点ＩＦＦＴ（５８０および５８５）によりコード化されてもよく、それぞれは、同一の周波数スペースを占有する。このソリューションは、データパス要求とアーキテクチャの要求との間の自然な適合が存在することから、性能に対してオプションである。また、１６０ＭＨｚの帯域幅全体は、周波数インターリービングおよびビットインターリービングに対して利用可能である。ビットおよび周波数の大きさの双方におけるインターリーブの可能性が高くなることにより、パケット誤りレートは低くなり得る。しかしながら、このソリューションは、データパスが４６８トーンすべてを処理しなければならないことから、周波数ドメイン機能のハードウェアが、他のインプリメンテーションと比較して２倍速く実行することを必要とする。より多くのトーンが提供されるにつれて、データストリームは、所定の時間間隔に対して、大多数のトーンを介してインターリーブされなければならず、システムがより速く実行することを必要とする。
【００４２】
上述したように、提案したＩＥＥＥ８０２．１１ａｃ標準規格は、８０ＭＨｚの帯域幅を必要とするとともに、オプションとしての１６０ＭＨｚの帯域幅を持つ。それゆえ、動作のために、最小８０ＭＨｚの帯域幅モジュールが必要とされる。１つの例示的な実施形態では、８０ＭＨｚ帯域幅モジュールのペアが一緒に対になり、１６０ＭＨｚの帯域幅を提供できる。単一の１６０ＭＨｚモジュールよりもむしろ、８０ＭＨｚ帯域幅モジュールのペアを利用する実施形態は、各帯域幅モジュールに、全５１２トーンよりもむしろ、２５６の可能性あるトーンのみを取り扱わせることにより、より遅いクロックスピードを可能することができることから利益を得てもよい。しかしながら、８０ＭＨｚ帯域幅モジュールにおけるインターリーバは、完全な１６０ＭＨｚの帯域幅の半分のみにわたって動作するかもしれず、これは、デバイスのパフォーマンスを低減させる可能性がある。より少ないインターリービングは、結果として、復元不可能な誤りを予防するための機会を減らすことになる。しかしながら、以下に論じるように、本発明の実施形態は、性能とハードウェア複雑性との間の良好なトレードオフバランスを提供する。
【００４３】
図６Ａは、１６０ＭＨｚの帯域幅動作に対する例示的なデータパスソリューションを図示している。例示的な実施形態は、２つ以上のモジュールを使用して、１６０ＭＨｚ帯域幅全体を介してデータを送信できる。図６Ａの例として、リンクレイヤからのデータは、２つの帯域幅モジュール６０１Ａおよび６０１Ｂにより送信される。帯域幅モジュール６０１Ａおよび６０１Ｂは、相対的に類似し、双方の帯域幅モジュールに対して処理作業を相対的に均等に分けることにより、関心の帯域全体に対するデータを処理してもよい。
【００４４】
データリンクレイヤからのデータは、スクランブラ６１０、エンコーダパーサ６２０、順方向誤り訂正ブロック６３０、および、ストリームパーサ６４０を通ってパスされる。エンコーダパーサ６２０は、エンコーダパーサ５２０（図５）に相対的に類似して動作してもよい。１つの実施形態では、ＭＩＭＯストリームパーサ６４０は、モジュールパーサ６４６および６４８に提供される２つのＭＩＭＯストリームを発生させる。各モジュールパーサの出力ビットは、予め定められている方法で、２つの帯域幅モジュール６０１Ａおよび６０１Ｂに割り振られる。例えば、図６Ｂ中に示されているように、偶数のビットは、第１の帯域幅モジュール６０１Ａに割り振られてもよく、奇数のビットは、第２の帯域幅モジュール６０１Ｂに割り振られてもよい。他の実施形態では、各ストリームに対して、モジュールパーサの出力ビットは、ブロック単位で交替する方法で２つの帯域幅モジュールに割り振られる。さらに他の実施形態では、各ストリームに対して、モジュールパーサの出力ビットは、ランダムまたは擬似ランダム方式で２つの帯域幅モジュールに割り振られる。
【００４５】
したがって、この実施形態では、モジュールパーサ６４６および６４８は、それぞれ、ＭＩＭＯストリームを２つの部分ＭＩＭＯストリームに分割し、それぞれは、オリジナル周波数帯域の部分を処理する。例えば、オリジナルの１６０ＭＨｚストリームは、２つの８０ＭＨｚストリームに分けられてもよい（各帯域モジュールは８０ＭＨｚを取り扱う）。インターリーバ６５０および６５５により提供されるインターリービングは、インターリーバ５５０および５５５（図５）に対して説明されたものであってもよい。この実施形態では、インターリービングは、各帯域モジュール内で起こる。インターリーバ６５０、６５５に加えて、直角位相振幅マッパー６６０、６６５および循環シフト遅延６６８とともに、帯域幅モジュール６０１Ａおよび６０１Ｂのそれぞれにおける空間マッパー６７０も提供される。帯域幅モジュール６０１Ａおよび６０１Ｂのそれぞれは、ＩＦＦＴブロック６８０、６８５とインターフェースし、次に、ＩＦＦＴブロック６８０、６８５は、ＤＡＣ６９０、６９５とインターフェースする。図６の１つの実施形態では、ＩＦＦＴ６８０、６８５およびＤＡＣ６９０、６９５は、一緒に動作して、関心の周波数帯域全体をカバーしてもよい。したがって、ＩＦＦＴの双方は、関心の同一の帯域をカバーする。帯域幅モジュール６０１Ａおよび６０１Ｂのそれぞれは、関心の帯域（すなわち、２３４トーン）をカバーするのに必要とされるトーンの全数の半分のみと動作するが、帯域幅モジュール６０１Ａおよび６０１Ｂの双方からのトーンは、ＩＦＦＴ６８０、６８５により組み合わせられて、関心の帯域全体をカバーしてもよい。
【００４６】
この構成では、各ＩＦＦＴおよびＤＡＣの対は別々の帯域をサポートでき、各帯域は、その最も近い帯域に対して近接または非近接であってもよいことに留意すべきである。したがって、空間マッパー６７０は、部分ＭＩＭＯストリームが特定の周波数帯域にマッピングされるように修正されてもよい。例えば、５１２点ＩＦＦＴが、２つの２５６点ＩＦＦＴにより置換される場合に、本質的に、２つの独立した周波数帯域が送信されてもよい。この例にしたがうと、５１２点ＩＦＦＴが１６０ＭＨｚをサービスする場合に、２つの２５６ＩＦＦＴが２つの８０ＭＨｚの帯域をサービスしてもよい。これらの帯域は、周波数において互いに近接である必要はない。さらに、各帯域は、もう一方の帯域とは無関係の変調スキームを使用してもよい。
【００４７】
上述したように、図６Ａの構成により、関心の帯域全体を介してコード化するための、ＦＥＣ６３０によるコーディングが可能になる。その一方で、インターリービングは、帯域幅モジュールにより、関心の帯域の一部のみを介して広がる。図６Ａでは、インターリーバ６５０および６５５は、関心の帯域の第１の部分を介して動作する一方で、帯域幅モジュール６０１Ｂにおける対応するインターリーバブロックは、関心の帯域の第２の部分を介して動作する。
【００４８】
図６Ａ中に示されている設計アプローチは、２つ以上の帯域幅モジュールにわたって作業を分けたせいで、より遅いクロックスピードが必要とされることから、設計のリスクを低減させたかもしれない。本発明のこの実施形態におけるエンコーディングは、複製モジュールの外で、したがって、帯域全体にわたって起こることを正しく認識できるだろう。それゆえ、誤りを検出して訂正する能力は、データストリームがデコーディングの後に複製パスに分散されるときにロバストを維持して、図５のソリューションとほぼ同じ数の冗長ビットおよび周波数インターリービングの可能性を維持する。シミュレーションの結果は、性能のいくつかの低下を示してきたが、図６Ａ中に図示されている実施形態に対して、パケット誤りレートを図５中のソリューションのうちの１０％内にするために、追加の信号対ノイズ比のうちの０．２デシベルのみが必要とされる。本発明のこの実施形態では、以前の設計サイクルからのコンポーネントを共有できる能力とともに、図５からの性能（１６０ＭＨｚに対する完全なデータパス設計）とほとんど同じくらい良好な性能が取得され、売り出すまでの時間を短縮させ、設計および認証のサイクルの回避を可能にする。
【００４９】
図６Ａは、２つの帯域幅モジュール６０１Ａおよび６０１Ｂのみを示しているが、他の実施形態は、３つ以上の帯域幅モジュールを使用してもよい。インターリービングは、依然として、各帯域幅モジュール内のみで起こるが、ＦＥＣモジュールによるコーディングが帯域幅モジュールのアップストリームを生じさせることから、コーディングは、依然として、関心の帯域全体にわたって広がる。さらに、図６Ａは、２つの帯域幅モジュールが同一の帯域幅をサポートするケースを示しているが、他の実施形態は、各帯域幅モジュールが異なる帯域幅をサポートする帯域幅モジュールを使用してもよい。
【００５０】
関心の周波数帯域全体は連続的でなくてもよいことに留意すべきである。つまり、送信に対して選択されてもよい周波数帯域は、別々の非近接の周波数帯域から成っていてもよい。この構成をサポートするために、図６Ｃ中に示されているように、追加のＩＦＦＴおよび対応するＤＡＣを備えることができる。例えば、ＩＦＦＴ６８０、６８５およびＤＡＣ６９０、６９５は、ＩＦＦＴ６８０Ａ、６８０Ｂ、６８５Ａ、６８５Ｂ、および、ＤＡＣ６８５Ａ、６８５Ｂ、６９５Ａ、６９５Ｂと置換できる。１つの実施形態では、ＩＦＦＴ６８０Ａ、６８０Ｂ、６８５Ａ、６８５Ｂは、帯域幅モジュール６０１Ａおよび６０１Ｂ中の空間マッパー６７０から、独立した出力を受け取ることができる。さらに、ＩＦＦＴ６８０Ａ、６８５Ａは、周波数帯域Ｆ１に向けられている２６２点ＩＦＦＴであることができるのに対して、ＩＦＦＴ６８０Ｂおよび６８５Ｂは、周波数帯域Ｆ２に向けられている２６２点ＩＦＦＴであることができる。４つのＩＦＦＴおよびＤＡＣが示されているが、任意の偶数のＩＦＦＴ／ＤＡＣを使用して、周波数帯域の半数を処理することができることに留意すべきである（例えば、２つの周波数帯域に対して４つのＩＦＦＴ／ＤＡＣ、３つの周波数帯域に対して６つのＩＦＦＴ／ＤＡＣ等）。１つの実施形態では、周波数帯域は同一の帯域幅ではなく、例えば、周波数帯域の１つの組は、４０ＭＨｚに向けられる可能性があり、周波数帯域の別の組は、２０ＭＨｚに向けられる可能性がある（これにより、完全な１６０ＭＨｚの帯域幅を使用しない）。
【００５１】
図７Ａは、本発明の別の例示的な実施形態を図示している。データリンクレイヤトラフィックは、スクランブラ７１０を通してパスされる。このケースでは、しかしながら、次のブロックは、エンコーダパーサ７３０により実行されるエンコーディング機能より前に、データストリームを２つのストリームに分けるモジュールパーサ７２０であり、これは、帯域幅モジュール７０１Ａおよび７０１Ｂの双方において起こる。モジュールパーサ７２０は、図７Ｂ中に示されているように、モジュールパーサ６４６および６４８（図６）と同様に機能してもよい。図６Ａと比較すると、帯域幅モジュール７１０Ａおよび７０１Ｂのそれぞれは、エンコーダパーサ７３０およびＦＥＣ７４０を備える。エンコーダパーサ７３０およびＦＥＣ７４０によるエンコーディングの後に、ストリームパーサ７４６は、複数のＭＩＭＯストリームを発生させることができる。図７Ａの実施形態では、インターリーバ７５０、７５５、ＱＡＭ７６０、７６５およびＣＳＤ７６７は、帯域幅モジュール７０１Ａおよび７０１Ｂのそれぞれにおいて、２つのＭＩＭＯストリームを処理できる。空間マッパー７７０は、２つのＭＩＭＯストリームを組み合わせて、結果としてのストリームを適切な数の送信ＭＩＭＯストリームにマッピングする。ＩＦＦＴ７８０、７８５およびＤＡＣ７９０、７９５は、帯域幅モジュール７０１Ａ、７０１Ｂからの組み合されたＭＩＭＯストリームを処理できる。
【００５２】
図７Ａ中に示されているように、ＩＦＦＴ７８０、７８５は、図６中で説明したＩＦＦＴと同様に、５１２トーン上で動作してもよい。図６Ｃに対して説明した構成と同様に、空間マッパー７７０からのデータは、例えば、ＩＦＦＴを２つ以上のＩＦＦＴブロック（および対応するＤＡＣ）と置換することにより、２つ以上の近接または非近接の周波数帯域にマッピングされてもよい。例えば、５１２点ＩＦＦＴ７８０が、２つの２５６点ＩＦＦＴと置換される場合に、ストリームは、２５６点ＩＦＦＴにマッピングされる可能性があり、各ＩＦＦＴ（および対応するＤＡＣ）は、周波数帯域に対してデータを処理してもよい。各ＩＦＦＴは独立的であることから、周波数帯域もまた独立的であることができる（すなわち、周波数帯域は近接である必要がない）。さらに、独立した周波数帯域上で送信される信号は、異なる変調およびコーディングスキーム（ＭＣＳ）で独立的にエンコードされてもよい。
【００５３】
この例示的な設計におけるデータストリームは、エンコーディングの前にパースされる周波数である。それゆえ、各複製データパス内での混合の度合は制限されている。エンコーディングおよびインターリービングは、実質的に、各帯域幅モジュール内で起こる。したがって、図７Ａ中の実施形態に対するパケット誤りレート（ＰＥＲ）は、図５および図６Ａ中の実施形態に対するパケット誤りレート（ＰＥＲ）よりも高いかもしれない。図６Ａの実施形態に対して行われたシミュレーションに類似した条件の下で行われたシミュレーション結果は、これを確立してもよい。図６Ａのソリューションは、図５中に図示されている例示的な実施形態のパケット誤りレートのうちの１０％内にするために、追加の信号対ノイズ比のうちの０．２ｄＢのみを必要とするのに対して、図７Ａ中に図示されている実施形態は、変調およびコーディングスキームのうちのいくつかに対して、１〜１．５ｄＢの信号対ノイズ比における改善を必要としてもよい。しかしながら、図７Ａのスキームは、帯域幅モジュール内においてエンコーディング機能を共有する利益を有する。
【００５４】
図７Ａの他の実施形態は、３つ以上の帯域幅モジュールを備えていてもよい。加えて、図７Ａの他の実施形態は、各帯域幅モジュールが異なる帯域幅をサポートしてもよい帯域幅モジュールをサポートしてもよい。
【００５５】
送信データパスにおける、コーディングおよびインターリービング機能を描写するこのソリューションは、ワイヤレスＬＡＮアプリケーションに対して示されてきたのに対して、同一のソリューションまたは本発明のある実施形態は、ＱＡＭアプリケーションの他の形態にも同様に適用してもよいことに熟練者は留意できるだろう。これらは、１６、３２、６４、１２８および２５６コンステレーションを持つポイントツーポイントＱＡＭアプリケーションを含む。他のアプリケーションは、これらには限定されないが、１６、３２または６４ＱＡＭを持つデジタルビデオ送信機および受信機と、１６、６４または２５６ＱＡＭを持つケーブルＴＶとを含む。
【００５６】
図５、６Ａ、６Ｂ、７Ａ、７Ｂの説明および図示を通して、送信機が詳細に提示されているが、図４中で図示されている受信パイプからのそれらの対応するブロックと置換されたブロックとともに、類似したおよび対称的なスキームが受信パスに適用されることも正しく認識できる。３つのスキームのそれぞれにおいて機能する通信に対して、受信パスは、複製がない、デコーディングによる複製およびデコーディングなしでの複製があることに関して、類似している。これは、送信パスにまさに同一である。アーキテクチャ的に、当業者は、送信機の設計は受信機の設計も制御することを認識できる。
【００５７】
本発明の実施形態は、送信機に対する、図５、６Ａ、６Ｂおよび図７Ａ、７Ｂにしたがって機能的に特定された受信機および送信機の一部と、受信機に対する類似した機能とを持つ、図１に図示されているような、データリンクシンクシステムパスへの完全なデータリンクソースを含む。本発明の１つの実施形態では、図６Ａのソリューションが設計の好ましい実施形態である。
【００５８】
ここでは特定の実施形態を開示したが、前述の開示から、本発明の精神および範囲から逸脱することなく、これらのような実施形態のバリエーションおよび修正を行うことができることは当業者にとって明らかになるだろう。本発明は、付随する特許請求の範囲、ならびに、適用される法律のルールおよび原則によって要求される範囲にのみ限定されるものであることが意図されている。
【図１】
2013545336.tif 000003
【図２】
2013545336.tif 000004
【図３】
2013545336.tif 000005
【図４】
2013545336.tif 000006
【図５】
2013545336.tif 000007
【図６Ａ】
2013545336.tif 000008
【図６Ｂ】
2013545336.tif 000009
【図６Ｃ】
2013545336.tif 000010
【図７Ａ】
2013545336.tif 000011
【図７Ｂ】
2013545336.tif 000012
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
ワイヤレス送信機において、
送信データを受け取って、エンコードされたデータを発生させるエンコーディングコンポーネントと、
前記エンコードされたデータを受け取って、複数の複数入力複数出力（ＭＩＭＯ）ストリームを発生させるＭＩＭＯストリームパーサと、
第１のＭＩＭＯストリームに結合され、第１の複数の部分ＭＩＭＯストリームを発生させる第１のモジュールパーサと、
前記第１の複数の部分ＭＩＭＯデータストリームのうちの第１の部分ＭＩＭＯストリームに結合される第１の帯域幅モジュールと、前記第１の帯域幅モジュールは、前記第１の部分ＭＩＭＯストリームのビットをインターリーブして、第１のインターリーブされたデータを発生させる第１のインターリーバを備え、
前記第１の複数のＭＩＭＯデータストリームのうちの第２の部分ＭＩＭＯストリームに結合される第２の帯域幅モジュールと、前記第２の帯域幅モジュールは、前記第２の部分ＭＩＭＯストリームのビットをインターリーブして、第２のインターリーブされたデータを発生させる第２のインターリーバを備え、前記第１および第２の帯域幅モジュールは、前記第１および第２の部分ＭＩＭＯストリームに対して同一の処理を提供し、
前記第１および第２の帯域幅モジュールに結合され、前記第１および第２のインターリーブされたデータを組み合わせて処理し、第１の送信ＭＩＭＯストリームを発生させる第１の逆高速フーリエ変換（ＩＦＦＴ）ユニットとを具備するワイヤレス送信機。
【請求項２】
前記第１および第２の部分ＭＩＭＯストリームは、近接の周波数帯域上で処理される請求項１記載のワイヤレス送信機。
【請求項３】
前記第１および第２の部分ＭＩＭＯストリームは、非近接の周波数帯域上で処理される請求項１記載のワイヤレス送信機。
【請求項４】
前記第１および第２のインターリーバは、それぞれ、異なる周波数帯域を介して、前記第１および第２の部分ＭＩＭＯストリームのビットをインターリーブする請求項１記載のワイヤレス送信機。
【請求項５】
前記第１のモジュールパーサは、前記第１の帯域幅モジュールに対して、前記第１のＭＩＭＯストリームの偶数のビットを前記第１の部分ＭＩＭＯストリームに割り振り、前記第２の帯域幅モジュールに対して、前記第１のＭＩＭＯストリームの奇数のビットを前記第２の部分ＭＩＭＯストリームに割り振る請求項１記載のワイヤレス送信機。
【請求項６】
前記ＭＩＭＯストリームパーサからの第２のＭＩＭＯストリームに結合される第２のモジュールパーサをさらに具備し、前記第２のモジュールパーサは、第２の複数の部分ＭＩＭＯストリームを発生させ、前記第１および第２のモジュールパーサは、同一のビットの割振りを前記第１および第２の帯域幅モジュールに提供し、
前記第１の帯域幅モジュールは、前記第２の複数の部分ＭＩＭＯストリームのうちの第３の部分ＭＩＭＯストリームに結合され、前記第１の帯域幅モジュールは、前記第３の部分ＭＩＭＯストリームのビットをインターリーブして、第３のインターリーブされたデータを発生させる第２のインターリーバを備え、
前記第２の帯域幅モジュールは、前記第２の複数の部分ＭＩＭＯストリームのうちの第４の部分ＭＩＭＯストリームに結合され、前記第２の帯域幅モジュールは、前記第４の部分ＭＩＭＯストリームのビットをインターリーブして、第４のインターリーブされたデータを発生させる第４のインターリーバを備え、
前記第１および第２の帯域幅モジュールに結合され、前記第３および第４のインターリーブされたデータを組み合わせて処理し、第２の送信ＭＩＭＯストリームを発生させる第２のＩＦＦＴユニットをさらに具備する請求項５記載のワイヤレス送信機。
【請求項７】
前記第１および第２のＩＦＦＴユニットは、それぞれ、１６０ＭＨｚの帯域幅を提供する請求項６記載のワイヤレス送信機。
【請求項８】
前記第１および第２の帯域幅モジュール中に、それぞれ、第１および第２の空間マッパーをさらに備え、前記第１および第２の空間マッパーのそれぞれは、変調され、インターリーブされたデータを受け取って、前記第１および第２のＩＦＦＴユニットにトーンをマッピングする請求項６記載のワイヤレス送信機。
【請求項９】
前記第１および第２の空間マッパーのそれぞれは、２３４トーンを介してマッピングを実行する請求項８記載のワイヤレス送信機。
【請求項１０】
ワイヤレス送信機において、
送信データを受け取って、前記送信データから第１および第２のデータストリームを生成させるモジュールパーサを具備し、
前記モジュールパーサは、偶数／奇数ビットおよびブロック単位の交替のうちの１つに基づいて、前記第１および第２のデータストリームにビットを割り振り、
前記第１のデータストリームに結合される第１の帯域幅モジュールを具備し、
前記第１の帯域幅モジュールは、
前記第１のデータストリームを受け取って、第１のエンコードされたデータを発生させる第１のエンコーディングコンポーネントと、
前記第１のエンコードされたデータを受け取って、第１の複数のＭＩＭＯストリームを発生させる第１の複数入力複数出力（ＭＩＭＯ）ストリームパーサと、
前記第１のＭＩＭＯストリームパーサに結合され、前記第１の複数のＭＩＭＯストリームのうちの１つのビットをインターリーブする第１のインターリーバとを備え、
前記第２のデータストリームに結合される第２の帯域幅モジュールを具備し、
前記第２の帯域幅モジュールは、
前記第２のデータストリームを受け取って、第２のエンコードされたデータを発生させる第２のエンコーディングコンポーネントと、
前記第２のエンコードされたデータを受け取って、第２の複数のＭＩＭＯストリームを発生させる第２のＭＩＭＯストリームパーサと、
前記第２のＭＩＭＯストリームパーサに結合され、前記第２の複数のＭＩＭＯストリームのうちの１つのビットをインターリーブする第２のインターリーバとを備え、
前記第１および第２の帯域幅モジュールに結合され、インターリーブされたデータを送信のために処理する第１および第２の逆高速フーリエ変換（ＩＦＦＴ）ユニットを具備するワイヤレス送信機。
【請求項１１】
前記第１および第２のデータストリームは、近接の周波数帯域上で処理される請求項１０記載のワイヤレス送信機。
【請求項１２】
前記第１および第２のデータストリームは、非近接の周波数帯域上で処理される請求項１０記載のワイヤレス送信機。
【請求項１３】
前記第１および第２のインターリーバは、それぞれ、異なる周波数帯域を介して、前記第１および第２のデータストリームのビットをインターリーブする請求項１０記載のワイヤレス送信機。
【請求項１４】
前記モジュールパーサは、前記送信データの偶数のビットを前記第１のデータストリームに割り振り、前記送信データの奇数のビットを前記第２のデータストリームに割り振る請求項１０記載のワイヤレス送信機。
【請求項１５】
前記第１および第２の帯域幅モジュール中に、それぞれ、第１および第２の空間マッパーをさらに具備し、前記第１および第２の空間マッパーのそれぞれは、変調され、インターリーブされたデータを提供し、前記第１および第２のＩＦＦＴユニットにトーンをマッピングする請求項１０記載のワイヤレス送信機。
【請求項１６】
ワイヤレス送信機において、
第１の帯域幅モジュールと、
第２の帯域幅モジュールとを具備し、
前記第１および第２の帯域幅モジュールのそれぞれは、
エンコードされた送信データを含む複数の部分複数入力複数出力（ＭＩＭＯ）ストリームを受け取って、前記複数の部分ＭＩＭＯストリームは、偶数／奇数ビットおよびブロック単位の交替のうちの１つに基づいて、ビットを割り振ることにより発生され、
前記複数の部分ＭＩＭＯストリームのビットをインターリーブして、インターリーブされたデータを発生させ、
前記インターリーブされたデータを変調し、
予め定められているトーンに基づいて、前記インターリーブされたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項１７】
前記第１および第２の帯域幅モジュールは、前記部分ＭＩＭＯストリームを近接の周波数帯域上で処理する請求項１６記載のワイヤレス送信機。
【請求項１８】
前記第１および第２の帯域幅モジュールは、前記部分ＭＩＭＯストリームを非近接の周波数帯域上で処理する請求項１６記載のワイヤレス送信機。
【請求項１９】
前記複数のエンコードされたデータストリームを受け取って、複数のＭＩＭＯストリームを発生させるＭＩＭＯストリームパーサと、
複数のモジュールパーサとをさらに具備し、
各モジュールパーサは、ＭＩＭＯストリームを受け取って、予め定められている割り振りスキームに基づいて、前記ＭＩＭＯストリームのビットを前記第１および第２の帯域幅モジュールに割り振る請求項１６記載のワイヤレス送信機。
【請求項２０】
前記予め定められている割り振りスキームは、偶数のビットを前記第１の帯域幅モジュールに割り振り、奇数のビットを前記第２の帯域幅モジュールに割り振る請求項１９記載のワイヤレス送信機。
【請求項２１】
前記空間マッピングは、前記予め定められているトーンに対して２３４トーンを使用する請求項１６記載のワイヤレス送信機。
【請求項２２】
ワイヤレス送信機において、
第１の帯域幅モジュールと、
第２の帯域幅モジュールとを具備し、
前記第１および第２の帯域幅モジュールのそれぞれは、
受け取った送信データをエンコードして、エンコードされたデータを発生させ、前記受け取った送信データは、偶数／奇数ビットおよびブロック単位の交替のうちの１つに基づいて、前記第１および第２の帯域幅モジュールのうちの１つに割り振られており、
前記エンコードされたデータを、第１および第２の複数入力複数出力（ＭＩＭＯ）ストリームにパースし、
前記第１および第２のＭＩＭＯストリームのそれぞれからのビットをインターリーブして、インターリーブされたビットを発生させ、
前記インターリーブされたビットを変調して、変調されたデータを発生させ、
予め定められているトーンに基づいて、前記変調されたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項２３】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接している請求項２２記載のワイヤレス送信機。
【請求項２４】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接していない請求項２２記載のワイヤレス送信機。
【請求項２５】
予め定められている周波数帯域に基づいて、前記受け取った送信データを前記第１および第２の帯域幅モジュールにパースするモジュールパーサをさらに具備する請求項２２記載のワイヤレス送信機。
【請求項２６】
前記モジュールパーサは、予め定められている割り振りスキームに基づいてパースするように構成されている請求項２２記載のワイヤレス送信機。
【請求項２７】
前記予め定められている割り振りスキームは、第１の組のビットを前記第１の帯域幅モジュールに割り振り、第２の組のビットを前記第２の帯域幅モジュールに割り振り、前記第１および第２の組のビットは等しい分散を有する請求項２６記載のワイヤレス送信機。
【請求項２８】
前記空間マッピングは、前記予め定められているトーンに対して２３４トーンを使用する請求項２２記載のワイヤレス送信機。
【手続補正２】
【補正対象書類名】明細書
【補正対象項目名】００５８
【補正方法】変更
【補正の内容】
【００５８】
ここでは特定の実施形態を開示したが、前述の開示から、本発明の精神および範囲から逸脱することなく、これらのような実施形態のバリエーションおよび修正を行うことができることは当業者にとって明らかになるだろう。本発明は、付随する特許請求の範囲、ならびに、適用される法律のルールおよび原則によって要求される範囲にのみ限定されるものであることが意図されている。
以下に、本願出願時の特許請求の範囲に記載された発明を付記する。
［１］ワイヤレス送信機において、
送信データを受け取って、エンコードされたデータを発生させるエンコーディングコンポーネントと、
前記エンコードされたデータを受け取って、複数の複数入力複数出力（ＭＩＭＯ）ストリームを発生させるＭＩＭＯストリームパーサと、
第１のＭＩＭＯストリームに結合され、第１の複数の部分ＭＩＭＯストリームを発生させる第１のモジュールパーサと、
前記第１の複数の部分ＭＩＭＯデータストリームのうちの第１の部分ＭＩＭＯストリームに結合される第１の帯域幅モジュールと、前記第１の帯域幅モジュールは、前記第１の部分ＭＩＭＯストリームのビットをインターリーブして、第１のインターリーブされたデータを発生させる第１のインターリーバを備え、
前記第１の複数のＭＩＭＯデータストリームのうちの第２の部分ＭＩＭＯストリームに結合される第２の帯域幅モジュールと、前記第２の帯域幅モジュールは、前記第２の部分ＭＩＭＯストリームのビットをインターリーブして、第２のインターリーブされたデータを発生させる第２のインターリーバを備え、
前記第１および第２の帯域幅モジュールに結合され、前記第１および第２のインターリーブされたデータを組み合わせて処理し、第１の送信ＭＩＭＯストリームを発生させる第１の逆高速フーリエ変換（ＩＦＦＴ）ユニットとを具備するワイヤレス送信機。
［２］前記第１および第２の部分ＭＩＭＯストリームは、近接の周波数帯域上で処理される［１］記載のワイヤレス送信機。
［３］前記第１および第２の部分ＭＩＭＯストリームは、非近接の周波数帯域上で処理される［１］記載のワイヤレス送信機。
［４］前記第１および第２のインターリーバは、それぞれ、異なる周波数帯域を介して、前記第１および第２の部分ＭＩＭＯストリームのビットをインターリーブする［１］記載のワイヤレス送信機。
［５］前記第１のモジュールパーサは、前記第１の帯域幅モジュールに対して、前記ＭＩＭＯストリームの偶数のビットを前記第１の部分ＭＩＭＯストリームに割り振り、前記第２の帯域幅モジュールに対して、前記ＭＩＭＯストリームの奇数のビットを前記第２の部分ＭＩＭＯストリームに割り振る［１］記載のワイヤレス送信機。
［６］前記ＭＩＭＯストリームパーサからの第２のＭＩＭＯストリームに結合される第２のモジュールパーサをさらに具備し、前記第２のモジュールパーサは、第２の複数の部分ＭＩＭＯストリームを発生させ、前記第１および第２のモジュールパーサは、同一のビットの割振りを前記第１および第２の帯域幅モジュールに提供し、
前記第１の帯域幅モジュールは、前記第２の複数の部分ＭＩＭＯストリームのうちの第３の部分ＭＩＭＯストリームに結合され、前記第１の帯域幅モジュールは、前記第３の部分ＭＩＭＯストリームのビットをインターリーブして、第３のインターリーブされたデータを発生させる第２のインターリーバを備え、
前記第２の帯域幅モジュールは、前記第２の複数の部分ＭＩＭＯストリームのうちの第４の部分ＭＩＭＯストリームに結合され、前記第２の帯域幅モジュールは、前記第４の部分ＭＩＭＯストリームのビットをインターリーブして、第４のインターリーブされたデータを発生させる第４のインターリーバを備え、
前記第３および第４の帯域幅モジュールに結合され、前記第３および第４のインターリーブされたデータを組み合わせて処理し、第２の送信ＭＩＭＯストリームを発生させる第２のＩＦＦＴユニットをさらに具備する［５］記載のワイヤレス送信機。
［７］前記第１および第２のＩＦＦＴユニットは、それぞれ、１６０ＭＨｚの帯域幅を提供する［６］記載のワイヤレス送信機。
［８］前記第１および第２の帯域幅モジュール中に、それぞれ、第１および第２の空間マッパーをさらに備え、前記第１および第２の空間マッパーのそれぞれは、変調され、インターリーブされたデータを受け取って、前記第１および第２のＩＦＦＴにトーンをマッピングする［６］記載のワイヤレス送信機。
［９］前記第１および第２の空間マッパーのそれぞれは、２３４トーンを介してマッピングを実行する［６］記載のワイヤレス送信機。
［１０］ワイヤレス送信機において、
送信データを受け取って、前記送信データから第１および第２のデータストリームを生成させるモジュールパーサと、
前記第１のデータストリームに結合される第１の帯域幅モジュールとを具備し、
前記第１の帯域幅モジュールは、
前記第１のデータストリームを受け取って、第１のエンコードされたデータを発生させる第１のエンコーディングコンポーネントと、
前記第１のエンコードされたデータを受け取って、第１の複数のＭＩＭＯストリームを発生させる第１の複数入力複数出力（ＭＩＭＯ）ストリームパーサと、
前記第１のＭＩＭＯストリームパーサに結合され、前記第１の複数のＭＩＭＯストリームのうちの１つのビットをインターリーブする第１のインターリーバとを備え、
前記第２のデータストリームに結合される第２の帯域幅モジュールを具備し、
前記第２の帯域幅モジュールは、
前記第２のデータストリームを受け取って、第２のエンコードされたデータを発生させる第２のエンコーディングコンポーネントと、
前記第２のエンコードされたデータを受け取って、第２の複数のＭＩＭＯストリームを発生させる第２のＭＩＭＯストリームパーサと、
前記第２のＭＩＭＯストリームパーサに結合され、前記第２の複数のＭＩＭＯストリームのうちの１つのビットをインターリーブする第２のインターリーバとを備え、
前記第１および第２の帯域幅モジュールに結合され、インターリーブされたデータを送信のために処理する第１および第２の逆高速フーリエ変換（ＩＦＦＴ）ユニットを具備するワイヤレス送信機。
［１１］前記第１および第２のデータストリームは、近接の周波数帯域上で処理される［１０］記載のワイヤレス送信機。
［１２］前記第１および第２のデータストリームは、非近接の周波数帯域上で処理される［１０］記載のワイヤレス送信機。
［１３］前記第１および第２のインターリーバは、それぞれ、異なる周波数帯域を介して、前記第１および第２のデータストリームのビットをインターリーブする［１０］記載のワイヤレス送信機。
［１４］前記モジュールパーサは、前記送信データの偶数のビットを前記第１のデータストリームに割り振り、前記送信データの奇数のビットを前記第２のデータストリームに割り振る［１０］記載のワイヤレス送信機。
［１５］前記第１および第２の帯域幅モジュール中に、それぞれ、第１および第２の空間マッパーをさらに具備し、前記第１および第２の空間マッパーのそれぞれは、変調され、インターリーブされたデータを受け取って、前記第１および第２のＩＦＦＴにトーンをマッピングする［１０］記載のワイヤレス送信機。
［１６］ワイヤレス送信機において、
第１の帯域幅モジュールと、
第２の帯域幅モジュールとを具備し、
前記第１および第２の帯域幅モジュールのそれぞれは、
エンコードされた送信データを含む複数の部分複数入力複数出力（ＭＩＭＯ）ストリームを受け取って、
前記複数の部分ＭＩＭＯストリームのビットをインターリーブして、インターリーブされたデータを発生させ、
前記インターリーブされたデータを変調し、
予め定められているトーンに基づいて、前記インターリーブされたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
［１７］前記第１および第２の帯域幅モジュールは、前記部分ＭＩＭＯストリームを近接の周波数帯域上で処理する［１６］記載のワイヤレス送信機。
［１８］前記第１および第２の帯域幅モジュールは、前記部分ＭＩＭＯストリームを非近接の周波数帯域上で処理する［１６］記載のワイヤレス送信機。
［１９］前記複数のエンコードされたデータストリームを受け取って、複数のＭＩＭＯストリームを発生させるＭＩＭＯストリームパーサと、
複数のモジュールパーサとをさらに具備し、
各モジュールパーサは、ＭＩＭＯストリームを受け取って、予め定められている割り振りスキームに基づいて、前記ＭＩＭＯストリームのビットを前記第１および第２の帯域幅モジュールに割り振る［１６］記載のワイヤレス送信機。
［２０］前記予め定められている割り振りスキームは、偶数のビットを前記第１の帯域幅モジュールに割り振り、奇数のビットを前記第２の帯域幅モジュールに割り振る［１９］記載のワイヤレス送信機。
［２１］前記空間マッピングは、前記予め定められているトーンに対して２３４トーンを使用する［１６］記載のワイヤレス送信機。
［２２］ワイヤレス送信機において、
第１の帯域幅モジュールと、
第２の帯域幅モジュールとを具備し、
前記第１および第２の帯域幅モジュールのそれぞれは、
受け取った送信データをエンコードして、エンコードされたデータを発生させ、
前記エンコードされたデータを、第１および第２の複数入力複数出力（ＭＩＭＯ）ストリームにパースし、
前記第１および第２のＭＩＭＯストリームのそれぞれからのビットをインターリーブして、インターリーブされたビットを発生させ、
前記インターリーブされたビットを変調して、変調されたデータを発生させ、
予め定められているトーンに基づいて、前記変調されたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
［２３］前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接している［２２］記載のワイヤレス送信機。
［２４］前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接していない［２２］記載のワイヤレス送信機。
［２５］予め定められている周波数帯域に基づいて、前記受け取った送信データを前記第１および第２の帯域幅モジュールにパースするモジュールパーサをさらに具備する［２２］記載のワイヤレス送信機。
［２６］前記モジュールパーサは、予め定められている割り振りスキームに基づいてパースするように構成されている［２２］記載のワイヤレス送信機。
［２７］前記予め定められている割り振りスキームは、第１の組のビットを前記第１の帯域幅モジュールに割り振り、第２の組のビットを前記第２の帯域幅モジュールに割り振り、前記第１および第２の組のビットは等しい分散を有する［２６］記載のワイヤレス送信機。
［２８］前記空間マッピングは、前記予め定められているトーンに対して２３４トーンを使用する［２２］記載のワイヤレス送信機。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
ワイヤレス送信機において、
送信データを受け取って、エンコードされたデータを発生させるエンコーディングコンポーネントと、
前記エンコードされたデータを受け取って、複数の複数入力複数出力（ＭＩＭＯ）ストリームを発生させるＭＩＭＯストリームパーサと、
第１のＭＩＭＯストリームに結合され、第１の複数の部分ＭＩＭＯストリームを発生させる第１のモジュールパーサと、
前記第１の複数の部分ＭＩＭＯストリームのうちの第１の部分ＭＩＭＯストリームに結合される第１の帯域幅モジュールと、前記第１の帯域幅モジュールは、前記第１の部分ＭＩＭＯストリームのビットをインターリーブして、第１のインターリーブされたデータを発生させる第１のインターリーバを備え、
前記第１の複数の部分ＭＩＭＯストリームのうちの第２の部分ＭＩＭＯストリームに結合される第２の帯域幅モジュールと、前記第２の帯域幅モジュールは、前記第２の部分ＭＩＭＯストリームのビットをインターリーブして、第２のインターリーブされたデータを発生させる第２のインターリーバを備え、前記第１および第２の帯域幅モジュールは、前記第１および第２の部分ＭＩＭＯストリームに対して同一の処理を提供し、
前記第１および第２の帯域幅モジュールに結合され、前記第１および第２のインターリーブされたデータを組み合わせて処理し、第１の送信ＭＩＭＯストリームを発生させる第１の逆高速フーリエ変換（ＩＦＦＴ）ユニットとを具備するワイヤレス送信機。
【請求項２】
前記第１および第２の部分ＭＩＭＯストリームは、近接の周波数帯域上で処理される請求項１記載のワイヤレス送信機。
【請求項３】
前記第１および第２の部分ＭＩＭＯストリームは、非近接の周波数帯域上で処理される請求項１記載のワイヤレス送信機。
【請求項４】
前記第１および第２のインターリーバは、それぞれ、異なる周波数帯域を介して、前記第１および第２の部分ＭＩＭＯストリームのビットをインターリーブする請求項１記載のワイヤレス送信機。
【請求項５】
前記第１のモジュールパーサは、前記第１の帯域幅モジュールに対して、前記第１のＭＩＭＯストリームの偶数のビットを前記第１の部分ＭＩＭＯストリームに割り振り、前記第２の帯域幅モジュールに対して、前記第１のＭＩＭＯストリームの奇数のビットを前記第２の部分ＭＩＭＯストリームに割り振る請求項１記載のワイヤレス送信機。
【請求項６】
前記ＭＩＭＯストリームパーサからの第２のＭＩＭＯストリームに結合される第２のモジュールパーサをさらに具備し、前記第２のモジュールパーサは、第２の複数の部分ＭＩＭＯストリームを発生させ、前記第１および第２のモジュールパーサは、同一のビットの割振りを前記第１および第２の帯域幅モジュールに提供し、
前記第１の帯域幅モジュールは、前記第２の複数の部分ＭＩＭＯストリームのうちの第３の部分ＭＩＭＯストリームに結合され、前記第１の帯域幅モジュールは、前記第３の部分ＭＩＭＯストリームのビットをインターリーブして、第３のインターリーブされたデータを発生させる第３のインターリーバを備え、
前記第２の帯域幅モジュールは、前記第２の複数の部分ＭＩＭＯストリームのうちの第４の部分ＭＩＭＯストリームに結合され、前記第２の帯域幅モジュールは、前記第４の部分ＭＩＭＯストリームのビットをインターリーブして、第４のインターリーブされたデータを発生させる第４のインターリーバを備え、
前記第１および第２の帯域幅モジュールに結合され、前記第３および第４のインターリーブされたデータを組み合わせて処理し、第２の送信ＭＩＭＯストリームを発生させる第２のＩＦＦＴユニットをさらに具備する請求項５記載のワイヤレス送信機。
【請求項７】
前記第１および第２のＩＦＦＴユニットは、それぞれ、１６０ＭＨｚの帯域幅を提供する請求項６記載のワイヤレス送信機。
【請求項８】
前記第１および第２の帯域幅モジュール中に、それぞれ、第１および第２の空間マッパーをさらに備え、前記第１および第２の空間マッパーのそれぞれは、変調され、インターリーブされたデータを受け取って、前記第１および第２のＩＦＦＴユニットにトーンをマッピングする請求項６記載のワイヤレス送信機。
【請求項９】
前記第１および第２の空間マッパーのそれぞれは、２３４トーンを介してマッピングを実行する請求項８記載のワイヤレス送信機。
【請求項１０】
ワイヤレス送信機において、
送信データを受け取って、前記送信データから第１および第２のデータストリームを生成させるモジュールパーサを具備し、
前記モジュールパーサは、偶数／奇数ビットおよびブロック単位の交替のうちの１つに基づいて、前記第１および第２のデータストリームにビットを割り振り、
前記第１のデータストリームに結合される第１の帯域幅モジュールを具備し、
前記第１の帯域幅モジュールは、
前記第１のデータストリームを受け取って、第１のエンコードされたデータを発生させる第１のエンコーディングコンポーネントと、
前記第１のエンコードされたデータを受け取って、第１の複数のＭＩＭＯストリームを発生させる第１の複数入力複数出力（ＭＩＭＯ）ストリームパーサと、
前記第１のＭＩＭＯストリームパーサに結合され、前記第１の複数のＭＩＭＯストリームのうちの１つのビットをインターリーブする第１のインターリーバとを備え、
前記第２のデータストリームに結合される第２の帯域幅モジュールを具備し、
前記第２の帯域幅モジュールは、
前記第２のデータストリームを受け取って、第２のエンコードされたデータを発生させる第２のエンコーディングコンポーネントと、
前記第２のエンコードされたデータを受け取って、第２の複数のＭＩＭＯストリームを発生させる第２のＭＩＭＯストリームパーサと、
前記第２のＭＩＭＯストリームパーサに結合され、前記第２の複数のＭＩＭＯストリームのうちの１つのビットをインターリーブする第２のインターリーバとを備え、
前記第１および第２の帯域幅モジュールに結合され、インターリーブされたデータを送信のために処理する第１および第２の逆高速フーリエ変換（ＩＦＦＴ）ユニットを具備するワイヤレス送信機。
【請求項１１】
前記第１および第２のデータストリームは、近接の周波数帯域上で処理される請求項１０記載のワイヤレス送信機。
【請求項１２】
前記第１および第２のデータストリームは、非近接の周波数帯域上で処理される請求項１０記載のワイヤレス送信機。
【請求項１３】
前記第１および第２のインターリーバは、それぞれ、異なる周波数帯域を介して、前記第１および第２のデータストリームのビットをインターリーブする請求項１０記載のワイヤレス送信機。
【請求項１４】
前記モジュールパーサは、前記送信データの偶数のビットを前記第１のデータストリームに割り振り、前記送信データの奇数のビットを前記第２のデータストリームに割り振る請求項１０記載のワイヤレス送信機。
【請求項１５】
前記第１および第２の帯域幅モジュール中に、それぞれ、第１および第２の空間マッパーをさらに具備し、前記第１および第２の空間マッパーのそれぞれは、変調され、インターリーブされたデータを提供し、前記第１および第２のＩＦＦＴユニットにトーンをマッピングする請求項１０記載のワイヤレス送信機。
【請求項１６】
ワイヤレス送信機において、
第１の帯域幅モジュールと、
第２の帯域幅モジュールとを具備し、
前記第１および第２の帯域幅モジュールのそれぞれは、
エンコードされた送信データを含む複数の部分複数入力複数出力（ＭＩＭＯ）ストリームを受け取って、前記複数の部分ＭＩＭＯストリームは、偶数／奇数ビットおよびブロック単位の交替のうちの１つに基づいて、ビットを割り振ることにより発生され、
前記複数の部分ＭＩＭＯストリームのビットをインターリーブして、インターリーブされたデータを発生させ、
前記インターリーブされたデータを変調し、
予め定められているトーンに基づいて、前記インターリーブされたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項１７】
前記第１および第２の帯域幅モジュールは、前記部分ＭＩＭＯストリームを近接の周波数帯域上で処理する請求項１６記載のワイヤレス送信機。
【請求項１８】
前記第１および第２の帯域幅モジュールは、前記部分ＭＩＭＯストリームを非近接の周波数帯域上で処理する請求項１６記載のワイヤレス送信機。
【請求項１９】
複数のエンコードされたデータストリームを受け取って、複数のＭＩＭＯストリームを発生させるＭＩＭＯストリームパーサと、
複数のモジュールパーサとをさらに具備し、
各モジュールパーサは、ＭＩＭＯストリームを受け取って、予め定められている割り振りスキームに基づいて、前記ＭＩＭＯストリームのビットを前記第１および第２の帯域幅モジュールに割り振る請求項１６記載のワイヤレス送信機。
【請求項２０】
前記予め定められている割り振りスキームは、偶数のビットを前記第１の帯域幅モジュールに割り振り、奇数のビットを前記第２の帯域幅モジュールに割り振る請求項１９記載のワイヤレス送信機。
【請求項２１】
前記空間マッピングは、前記予め定められているトーンに対して２３４トーンを使用する請求項１６記載のワイヤレス送信機。
【請求項２２】
ワイヤレス送信機において、
第１の帯域幅モジュールと、
第２の帯域幅モジュールとを具備し、
前記第１および第２の帯域幅モジュールのそれぞれは、
受け取った送信データをエンコードして、エンコードされたデータを発生させ、前記受け取った送信データは、偶数／奇数ビットおよびブロック単位の交替のうちの１つに基づいて、前記第１および第２の帯域幅モジュールのうちの１つに割り振られており、
前記エンコードされたデータを、第１および第２の複数入力複数出力（ＭＩＭＯ）ストリームにパースし、
前記第１および第２のＭＩＭＯストリームのそれぞれからのビットをインターリーブして、インターリーブされたビットを発生させ、
前記インターリーブされたビットを変調して、変調されたデータを発生させ、
予め定められているトーンに基づいて、前記変調されたデータ上で空間マッピングを実行して、マッピングされたデータを発生させるように構成され、
前記第１および第２の帯域幅モジュールに結合され、前記マッピングされたデータを送信のために変換する第１および第２の逆高速フーリエ変換（ＩＦＦＴ）ユニットを具備するワイヤレス送信機。
【請求項２３】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接している請求項２２記載のワイヤレス送信機。
【請求項２４】
前記第１の帯域幅モジュールは、第１の周波数帯域上で、その第１および第２のＭＩＭＯストリームを処理し、前記第２の帯域幅モジュールは、第２の周波数帯域上で、その第１および第２のＭＩＭＯストリームを処理し、前記第１および第２の周波数帯域は近接していない請求項２２記載のワイヤレス送信機。
【請求項２５】
予め定められている周波数帯域に基づいて、前記受け取った送信データを前記第１および第２の帯域幅モジュールにパースするモジュールパーサをさらに具備する請求項２２記載のワイヤレス送信機。
【請求項２６】
前記モジュールパーサは、予め定められている割り振りスキームに基づいてパースするように構成されている請求項２２記載のワイヤレス送信機。
【請求項２７】
前記予め定められている割り振りスキームは、第１の組のビットを前記第１の帯域幅モジュールに割り振り、第２の組のビットを前記第２の帯域幅モジュールに割り振り、前記第１および第２の組のビットは等しい分散を有する請求項２６記載のワイヤレス送信機。
【請求項２８】
前記空間マッピングは、前記予め定められているトーンに対して２３４トーンを使用する請求項２２記載のワイヤレス送信機。
【手続補正２】
【補正対象書類名】明細書
【補正対象項目名】００１５
【補正方法】変更
【補正の内容】
【００１５】
ワイヤレス送信機はさらに、ＭＩＭＯストリームパーサからの第２のＭＩＭＯストリームに結合される第２のモジュールパーサを備えることができる。第２のモジュールパーサは、第２の複数の部分ＭＩＭＯストリームを発生させることができる。特に、第１および第２のモジュールパーサは、同一のビットの割振りを第１および第２の帯域幅モジュールに提供する。第１の帯域幅モジュールは、（第２の複数の部分ＭＩＭＯストリームからの）第３の部分ＭＩＭＯストリームのビットをインターリーブして、第３のインターリーブされたデータを発生させる第３のインターリーバを備えることができる。第２の帯域幅モジュールは、（第２の複数の部分ＭＩＭＯストリームからの）第４の部分ＭＩＭＯストリームのビットをインターリーブして、第４のインターリーブされたデータを発生させる第４のインターリーバを備えることができる。第３および第４の帯域幅モジュールに結合される第２のＩＦＦＴユニットは、第３および第４のインターリーブされたデータを組み合わせて処理し、第２の送信ＭＩＭＯストリームを発生させることができる。
【国際調査報告】
2013545336.tif 000013